(57)【要約】【課題】前面パネルを開動または着脱分離させてＵＳＢコネクタ等に外部記憶装置を接続しデータ転送をする際に、データ転送の進捗状況やエラー情報などを把握することが可能な車載用電子装置を提供する。【解決手段】車載用電子装置であるナビゲーション装置１０は、前面に外部ディスクメディアが挿入されるディスクドライブ２１と、外部記憶機器が接続される外部記憶機器接続部２３と、を備えた本体２０と、前記本体２０前面に開閉或いは着脱可能に取り付けられた前面パネル３０とからなり、前記本体２０はさらにその前面に補助表示部２４を備え、補助表示部２４は外部ディスクメディアの操作情報又は外部記憶機器接続部２３の情報の読み取り又は書き込みの進捗状況乃至エラー情報を表示する。【選択図】図１
2008209200.tif 000002
【特許請求の範囲】
【請求項１】
前面に外部ディスクメディアが挿入されるディスクドライブと、外部記憶機器が接続される外部記憶機器接続部と、を備えた本体と、前記本体前面に開閉或いは着脱可能に取り付けられた前面パネルとからなる車載用電子装置において、
前記本体はさらに該本体の前面に補助表示部を備え、前記補助表示部は外部ディスクメディアの操作情報又は外部記憶機器接続部の情報の読み取り又は書き込みの進捗状況乃至エラー情報を表示することを特徴とする車載用電子装置。
【請求項２】
前記補助表示部は前記前面パネルが開動或いは取り外されることによって起動することを特徴とする請求項１に記載の車載用電子装置。
【請求項３】
前記本体は更に、外部ディスクメディアまたは外部記憶機器から読み取った地図データを記憶する地図記憶部と、現在位置を検出する現在位置検出部を備えたことを特徴とする請求項１または請求項２に記載の車載用電子装置。
【請求項４】
前記全面パネルは更に、外部ディスクメディアまたは外部記憶機器から読み取った地図データを記憶する地図記憶部と、現在位置を検出する現在位置検出部と、ナビゲーション制御を行うナビ制御部と、を備えたことを特徴とする請求項１または請求項２に記載の車載用電子装置。
【請求項５】
前記本体は更に、外部ディスクメディアまたは外部記憶機器から読み取った音楽または映像を含むコンテンツを記憶する記憶手段を備えたことを特徴とする請求項１または請求項２に記載の車載用電子装置。
【発明の詳細な説明】
【技術分野】
【０００１】
本発明は、本体前面に外部ディスクメディアが挿入される挿入孔及び外部記憶機器が接続される接続部と、を備えた本体と、該本体に表示ユニットを含む前面パネルがスライド開閉または着脱可能に取り付けられたナビゲーション装置などの車載用電子装置に関するものである。本発明は特に上記のような車載用電子装置において、前面パネルが本体に対してオープン状態または分離され、外部記憶機器に対する読み書きを行う場合に、その進捗状況等を表示する補助表示部を前記本体に設けた車載用電子装置に関するものである。
【背景技術】
【０００２】
近年、自動車に搭載される車載用電子装置が種々提供されている。ナビゲーション装置、オーディオビデオ機器、ＤＶＤ再生装置、テレビやラジオ受信機などが代表的な車載用電子装置である。また、最近では、これらの機器を複合的に備えた車載用電子装置も提供されている。
【０００３】
このような車載用電子装置、特に複合機能を有する車載用電子装置においては、外部の記憶媒体からデータを読み込みあるいは外部の記憶媒体にデータを出力する機能が設けられている。これらの外部の記憶媒体とのデータの入出力部は前面の表示部を開閉して本体に設けられた外部記憶媒体の挿入部や接続部を使用するように構成されている。また、機器の盗難防止のため、前面の表示部を車両に取り付けた本体に対して着脱自在に取り付けるような構成も考慮されている。
【０００４】
例えば、車載用のナビゲーション装置は、ナビゲーション機能に必要な道路ネットワークデータや地図データなどを本体のＨＤＤ（ハードディスクドライブ）などの内部記憶装置に記憶しており、内部記憶装置からこれらのデータを適宜読み出して経路案内を行なう。地図は前面に取り付けられた表示パネルに表示され、音声による経路案内はスピーカに出力されて運転者に経路を案内する。
【０００５】
このようなナビゲーション装置は前述したような複合型の電子機器として用いられるようになっており、ＣＤやＤＶＤなどの外部ディスクメディアを読み取るための挿入孔が設けられている。また前記ナビゲーション装置は道路ネットワークデータのアップデートに伴いそのデータ更新が必要になることから、ＵＳＢなどの接続インターフェースにフラッシュメモリなどの外部記憶ユニットを接続してデータ更新を行なう必要がある。そのためナビゲーション装置は外部ディスクメディアの挿入孔に加えてＵＳＢなどの外部記憶ユニット接続部を備えている。
【０００６】
このような接続手段は一定の領域を確保する必要があるため、本体の前面に設けると前面の表示部面積が制限されてしまう。そこで一般的に採用されている形態が下記の特許文献１（特開２００３−７２４７７号公報）に開示されているようなスライド開閉式の電動パネルである。このようなスライド開閉式の電動パネルは、ＣＤ、ＭＤ等の挿入口の前部に電動パネルを設置し、普段は前記挿入口を隠すように前記電動パネルをクローズし、ＣＤやＭＤ等の入れ替え時に前記電動パネルをオープンさせて前記挿入口を露出させる構成である。電動パネルは電動パネル上のパネル開閉ボタンを押下することによりオープン又はクローズする。
【０００７】
本体内部に設けられた内部記憶装置に記憶された情報を更新する場合は、電動パネルに設けられたパネル開閉ボタンを押下してパネルを開動させ、コネクタを露出させる。更新データを記憶させたフラッシュメモリや、ノートパソコン等の外部機器をこのコネクタに接続してデータ転送を行い、転送が完了するとコネクタとの接続を解除してパネル開閉ボタンを押下することでパネルをクローズする。
【０００８】
一方前面パネルを可動式に取り付ける構成でなく、前面パネルを取り外せるようにした発明も提案されている。例えば下記特許文献２（特開２００５−１９３７９２号公報）には表示パネルを着脱可能に結合して、表示パネルを車外などに持ち出しできるようにしながら、その盗難を防止できるようにした車載用電子機器の発明が開示されている。
【０００９】
この発明によれば、ユーザはナビゲーション機能を利用する際はナビゲーション装置本体に表示パネルを取り付けて地図などの視覚的経路案内を受け、駐車時など車を離れる際には表示パネルを取り外してテレビモニタとして利用するなどといったことが可能となる。このように表示パネルを着脱可能にすることで、表示パネルなしではカーナビとして使用することが困難であるために盗難に遭う危険を回避することができるという効果を奏するものである。
【特許文献１】特開２００３−７２４７７号公報
【特許文献２】特開２００５−１９３７９２号公報
【発明の開示】
【発明が解決しようとする課題】
【００１０】
しかしながら、上記特許文献１に開示されたように電動パネルがオープンの状態でデータ転送を行なう構成では、データ転送の進捗状況を把握することができないという問題があった。また上記特許文献１の図３に示すように電動パネルがオープン状態になると表示部はほぼ上向きに配置されるから、もしこの電動パネルにデータ転送の進捗状況を表示したとしても覗き込まなければ表示を確認することができない。
【００１１】
また上記特許文献２に開示されたように前面パネルが着脱可能に取り付けられた形態では、表示パネル取り外し後に外部記憶機器を接続してデータ転送を行なおうとしても表示部がなければ進捗状況は全く把握することができない。さらには、前面パネルが取り外された後に外部ディスクメディアを挿入したり、内部に搭載されたＨＤＤから音楽データを読み出して音楽を聴くような場合にも、表示パネルが無ければトラック情報なども一切表示されないのであるから、本体は車載用オーディオとして用いることすらできず、スペースの無駄である。
【００１２】
以上の問題点を解決するため本願の発明者が種々検討を重ねた結果、電動パネルを備えたナビゲーション装置の本体前面に補助表示部を備えることで上記課題を解決し得ることに想到して本発明を完成するに至ったものである。
【００１３】
すなわち、本願発明は上記課題を解決することを目的とし、前面パネルがオープンの状態であってもデータ更新の進捗状況を確認できるナビゲーション装置を提供することを目的とする。
【課題を解決するための手段】
【００１４】
前記課題を解決するために、本願の請求項１にかかる発明は、
前面に外部ディスクメディアが挿入されるディスクドライブと、外部記憶機器が接続される外部記憶機器接続部と、を備えた本体と、前記本体前面に開閉或いは着脱可能に取り付けられた前面パネルとからなる車載用電子装置において、
前記本体はさらに該本体の前面に補助表示部を備え、前記補助表示部は外部ディスクメディアの操作情報又は外部記憶機器接続部の情報の読み取り又は書き込みの進捗状況乃至エラー情報を表示することを特徴とする。
【００１５】
本願の請求項２にかかる発明は、請求項１にかかる車載用電子装置において、前記補助表示部は前記前面パネルが開動或いは取り外されることによって起動することを特徴とする。
【００１６】
本願の請求項３にかかる発明は、請求項１または請求項２にかかる車載用電子装置において、前記本体は更に、外部ディスクメディアまたは外部記憶機器から読み取った地図データを記憶する地図記憶部と、現在位置を検出する現在位置検出部を備えたことを特徴とする。
【００１７】
本願の請求項４にかかる発明は、請求項１または請求項２にかかる車載用電子装置において、前記全面パネルは更に、外部ディスクメディアまたは外部記憶機器から読み取った地図データを記憶する地図記憶部と、現在位置を検出する現在位置検出部と、ナビゲーション制御を行うナビ制御部と、を備えたことを特徴とする。
【００１８】
本願の請求項５にかかる発明は、請求項１または請求項２にかかる車載用電子装置において、前記本体は更に、外部ディスクメディアまたは外部記憶機器から読み取った音楽または映像を含むコンテンツを記憶する記憶手段を備えたことを特徴とする。
【発明の効果】
【００１９】
請求項１にかかる発明においては、によれば、車載用電子装置は本体前面にディスクメディアの操作情報又は情報の読み取り又は書き込みの進捗状況を表示する補助表示部を備えている。したがって前面パネルが開動或いは取り外されてもデータの読み取り、書き込みなどの進行状況の把握が可能となる。
【００２０】
請求項２にかかる発明によれば、請求項１にかかる車載用電子装置において、前記補助表示部は前面パネルが開動或いは取り外されたことによって起動するから、所定の起動ボタンなどを押下することなくスムーズにディスク操作やデータ転送などを行なうことができる。
【００２１】
請求項３にかかる発明によれば、請求項１または請求項２にかかる車載用電子装置において、前記本体は更に、外部ディスクメディアまたは外部記憶機器から読み取った地図データを記憶する地図記憶部と、現在位置を検出する現在位置検出部を備えたものであるから、ナビゲーションに用いる地図データを外部ディスクメディアまたは外部記憶機器から更新中に進捗状況の把握が可能となる。
【００２２】
請求項４にかかる発明によれば、請求項１または請求項２にかかる車載用電子装置において、前記全面パネルは更に、外部ディスクメディアまたは外部記憶機器から読み取った地図データを記憶する地図記憶部と、現在位置を検出する現在位置検出部と、ナビゲーション制御を行うナビ制御部と、を備えたものであるから、前面パネル部を本体から取り外した状態で携帯してナビゲーションに用いることができるようになる。
【００２３】
請求項５にかかる発明によれば、請求項１または請求項２にかかる車載用電子装置において、前記本体は更に、外部ディスクメディアまたは外部記憶機器から読み取った音楽または映像を含むコンテンツを記憶する記憶手段を備えたものであるから、音楽データ等のコンテンツデータを外部ディスクメディアまたは外部記憶機器から読み取りまたは書き込み中に進捗状況の把握が可能となる。
【発明を実施するための最良の形態】
【００２４】
以下図面を参照して本発明における車載用電子装置の発明を詳細に説明する。ただし以下に示す例は最良の実施形態を示すものであって、本発明の技術的思想をこの車載用電子装置の実施携帯に限定することを意図するものでなく、その他種々の変更を伴い得るものである。なお、以下の実施例においては、車載用電子装置としてナビゲーション機能を有する複合型の機器を例にとり本発明を詳細に説明する。
【実施例１】
【００２５】
本発明の実施例１においては、図１に示すように前面パネルがスライド開閉式に取り付けられている形態を例にとり説明する。図１は実施例１におけるナビゲーション装置の外観を示す斜視図であり、図１（ａ）は前面パネルがクローズ状態、図１（ｂ）は前面パネルがオープン状態を示している。ナビゲーション装置１０は本体２０と、本体２０にスライド開閉可能に取り付けられた前面パネル３０とからなる。
【００２６】
図１（ａ）から明らかなとおり、前面パネル３０は液晶パネルからなる表示部３１と、操作ボタン３２と、パネル開閉ボタン３３とを備えている。表示部３１は、例えばナビゲーション機能が開始すると道路、地図などが表示されてユーザに対して視覚的に経路を案内し、ＤＶＤを本体２０に挿入することで映像が表示される。表示部３１はタッチパネルを搭載することで操作手段としても機能する。操作ボタン３２は表示部３１の表示に従い操作を行なうためのものである。パネル開閉ボタン３３は前面パネル３０の開閉を行なうためのものであり、押下することで前面パネル３０がスライド開閉し、図１（ｂ）に示すオープン状態に至る。
【００２７】
パネル開閉ボタン３３を押下して図１（ｂ）に示すようなオープン状態に至ると、前面パネル３０の後方であって本体２０の前面に配置されたディスクドライブ２１、ＳＤカードスロット２２、ＵＳＢスロット２３、補助表示部２４が露出する。ディスクドライブ２１にはＣＤやＤＶＤなどの外部ディスクメディアが挿入され、再生操作によって映像や音声が出力される。
【００２８】
ＳＤカードスロット２２にはＳＤカードを挿入することができ、ＳＤカードに記憶された動画情報を読み出して表示部３１に動画を表示するといったことが可能である。ＵＳＢスロット２３にはフラッシュメモリを接続したり、またはこれを介してノートパソコンを接続することができる。ＵＳＢスロット２３を介してデータ転送を行なうことで、本体２０内部に記憶されたナビゲーション用地図データを更新することができる。
【００２９】
また音楽データを転送することで本体内部のＨＤＤに記憶し、必要に応じて音楽データを読み出して音楽を聴いたりということも可能である。なおここではＵＳＢを設けた例を説明したが、ＩＥＥＥ１３９４などの通信インターフェースを採用することも可能である。
【００３０】
前述したように、更に本体２０はその前面に液晶パネルからなる補助表示部２４を備えている。補助表示部２４には例えば上記ＵＳＢスロット２３に接続された外部記憶装置からのデータ転送の進捗状況やエラー情報、経過時間などが表示されるほか、ＳＤカードスロット２２によって読み出されたＳＤカード内のデータアイコン、ＨＤＤに記憶された音楽データ、さらにはディスクドライブ２１に挿入されたディスクメディアのトラック情報などが表示される。また各種メンテナンス情報なども表示される。ユーザは補助表示部２４の表示にしたがって本体を操作する。
【００３１】
このように前面パネル３０が開動されたときに露出する補助表示部２４を備えることで以下のような効果を奏する。例えば本体２０内部に記憶された地図データを更新する際には、ＵＳＢスロット２３は前面パネル３０の後方に配置されているから図１（ｂ）に示すように前面パネル３０をオープン状態にしなければならないが、この状態ではデータ更新の進捗状況を把握することができない。
【００３２】
この点、本実施例によれば本体２０前面に補助表示部２４を備え、補助表示部２４はデータ転送の進捗状況やエラー情報を表示するから、データ転送の状況把握が容易となる。また前面パネル３０をオープン状態にするとメイン表示部３１は傾いてしまい、ここに進捗状況等を表示したとしても視認しにくいという問題があるが、本体２０前面に補助表示部２４を配置することでこのような問題も解決できる。
【００３３】
図２はナビゲーション装置１０の制御部分の構成を示すブロック図である。ナビゲーション装置１０は制御部１１、記憶部１２、操作部１３、現在位置検出部１４、パネル開閉検出部１５を備えており、さらに上述のディスクドライブ２１、外部記憶機器接続部（ＳＤカードスロット）２２、外部機器接続部（ＵＳＢスロット）２３、メイン表示部３１、補助表示部２４と接続されている。
【００３４】
制御部１１はＲＡＭ、ＲＯＭ、プロセッサを有する中央制御手段として機能し、ＲＯＭに記憶されたプログラムによって各部の動作を制御する。記憶部１２はＨＤＤなどの大容量記憶装置からなり、地図記憶部１２１と音楽データ記憶部１２２とを具備している。ナビゲーションプログラムが起動されると地図記憶部１２１から地図データが読み出されてユーザに経路案内を行い、音楽データ記憶部１２２からはＨＤＤに記憶された音楽データが読み出され、図示しないスピーカなどに出力されて音楽が再生される。
【００３５】
なお、本実施例１においては記憶部１２には音楽データを記憶する音楽データ記憶部１２１を備えた構成を示したが、記憶部１２に記憶するコンテンツは音楽データに限られるにものではなく、テレビ放送やＤＶＤから映像を含むコンテンツを記憶する構成とすることもできる。この場合、車載用電子装置１０にはビデオ再生機能を備えればよい。
【００３６】
操作部１３は前面パネル３０に設けられた操作ボタン３２やメイン表示部３１に搭載されたタッチパネルなどと接続され、操作情報が入力されることで各部に操作信号を出力する。現在位置検出部１４はＧＰＳ受信機を備えており、ＧＰＳ衛星から信号を受信することで現在位置を測位する。測位された現在位置は地図記憶部１２１から読み出された地図データとのマップマッチング処理がなされ、これに基づいてユーザに対して経路案内が行なわれる。
【００３７】
パネル開閉検出部１５は前面パネル３０に設けられたパネル開閉ボタン３３に接続されており、パネル開閉ボタン３３が押下されると信号を出力する。制御部１１はパネル開閉検出部１５からの信号を受けて補助表示部２４のＯＮ／ＯＦＦを制御する。すなわち前面パネル３０がクローズ状態でパネル開閉検出部１５から信号が出力されると、制御部１１は補助表示部２４をＯＮする。
【００３８】
ここで、例えばユーザがＵＳＢスロット２３に外部記憶装置を接続すると、ＵＳＢスロット２３が接続状態にある旨を補助表示部２４に表示するとともに、各種操作情報を表示してユーザからの操作があるまで待機状態を維持する。
【００３９】
操作部１３から地図更新用データを地図記憶部１２１に書き込み、あるいは音楽データ記憶部１２２に記憶された音楽データをＵＳＢスロット２３からフラッシュメモリ等に書き込む操作またはフラッシュメモリ等から読み出す操作が行なわれると、補助表示部２４にはデータの書き込みの進捗状況がパーセンテージで表示され、エラーが発生すればその旨表示する。このときメイン表示部３１には電源は供給されるが、制御信号は補助表示部２４に出力される。
【００４０】
ＳＤカードスロット２２にＳＤカードが差し込まれ、又はＵＳＢスロット２３に外部機器が接続された状態ではＳＤカード又は外部機器はスロットから突出した状態であり、前面パネル３０とこれらの衝突を回避するためこれらの接続が検出されるときは前面パネル３０のクローズ動作を停止する。例えばＳＤカードスロット２２、ＵＳＢスロット２３の接続が検出されるとフラグが設定され、当該フラグが設定されている状態では前面パネル３０のクローズ動作の命令は無効とされるようにする。
【００４１】
補助表示部２４にはクローズ動作命令は無効である旨表示し、または接続を解除するよう警告する。接続が解除されるとフラグ設定は解除され、前面パネル３０のクローズ動作を受け付ける。フラグが解除された状態でパネル開閉検出部１５が信号を検出すると、制御部１１は補助表示部をＯＦＦにすると同時に前面パネル３０がクローズする。
【００４２】
以下図３のフローチャートを参照してナビゲーション装置１０の動作を説明する。図３は本実施例におけるナビゲーション装置の制御手順を示すフローチャートである。なお図３においては前面パネル３０をオープン状態にし、ＵＳＢスロット２３に外部記憶装置を接続する場合の処理を示しているが、ＳＤカードスロット２２にＳＤカードを挿入する場合も同様にして処理が行なわれる。まずステップＳ１においてパネル開閉ボタン３３が押下され、前面パネル３０がオープン状態にされると処理が開始される。
【００４３】
パネル開閉ボタン３３が押下されるとパネル開閉検出部１５は制御部１１に信号を出力し、前面パネル３０が所定の駆動機構によってスライド開動する。ステップＳ２において制御部１１は補助表示部２４をＯＮにする。前面パネル３０がオープン状態に至るとＵＳＢスロット２３は接続待機状態となり、ステップＳ３においてＵＳＢスロット２３の接続が確認されなければ（Ｎ）ステップＳ７の処理に進み、前面パネル３０がクローズ状態にされるまでこの処理が繰り返される。
【００４４】
ステップＳ３の処理においてＵＳＢスロット２３の接続が確認されると（Ｙ）、ステップＳ４の処理においてＵＳＢスロット２３を介して外部記憶装置からデータの書き込み又は読み込みの操作があったか否かが判別され、操作が検出されなければ（Ｎ）ステップＳ３の処理に戻り、ＵＳＢスロット２３の接続が解除されるまで処理が繰り返される。外部記憶装置からデータの書き込み又は読み込み操作があると（Ｙ）ステップＳ５の処理に進み、補助表示部２４にデータの書き込み又は読み込みの進捗状況及び操作開始からの経過時間等が表示される。
【００４５】
その後ステップＳ６の処理に進み、データの書き込み又は読み込みが完了したか否かが判別される。完了していないと判別されると（Ｎ）ステップＳ９の処理に進み、その時点でデータ処理がエラーとなったか否かが判別される。エラーでないと判別されるとステップＳ６の処理に戻り、データの書き込み又は読み込みが完了するまでこの処理が繰り返される。一方ステップＳ９の判別処理においてエラーであると判別されると、ステップＳ１０の処理において補助表示部２４にエラーである旨が表示され、処理が終了（ＥＮＤ）する。
【００４６】
ステップＳ６の処理においてデータの書き込み又は読み込みが完了したと判別されると（Ｙ）ステップＳ７の処理に進み、前面パネル３０のクローズ操作が検出されたかが判別され、クローズ操作が検出されなければ（Ｎ）ステップＳ３の処理に戻り、ＵＳＢスロット２３の接続が解除されるまでステップＳ３からステップＳ７の処理が繰り返される。ステップＳ７においてクローズ操作が検出されると（Ｙ）ステップＳ８の処理に進み、補助表示部２４がＯＦＦされて、処理が終了（ＥＮＤ）する。
【実施例２】
【００４７】
上記実施例１においてはナビゲーション装置１０に取り付けられる前面パネル３０が本体２０とスライド開閉可能に取り付けられた例を示したが、前面パネルをナビゲーション装置１０と着脱可能に取り付けた構成とすることも可能である。以下、実施例１と同様の構成要素については同一の参照符号を付し、重複を避けるためその詳細な説明は省略する。
【００４８】
図４は本実施例２におけるナビゲーション装置の外観を示す分解斜視図であり、図４（ａ）はナビゲーション装置本体、図４（ｂ）は前面パネルを示している。ナビゲーション装置１０は本体２０と前面パネル３０とから構成されている点は実施例１と同様であるが、図からも明らかなとおり前面パネル３０は本体２０から取り外せるようになされている点が異なっている。
【００４９】
このように前面パネル３０が本体と着脱可能に取り付けられていることにより、本体２０を車のダッシュボードに備え付けて運転時にはメイン表示部３１を通じてナビゲーションを受け、駐車時などには前面パネル３０を取り外して持ち歩くということが可能となる。前面パネル３０が取り外された状態では外部からはナビゲーション装置であるとは把握されにくくなり、盗難に遭う危険を回避することができるというものである。
【００５０】
図５は実施例２におけるナビゲーション装置１０の制御部分の構成を示すブロック図である。ナビゲーション装置１０は本体２０と前面パネル３０とでその制御構成が分かれ、本体２０に備えられたパネル接続部１６が前面パネル３０に備えられた本体接続部３４と接続されている。前面パネル３０はパネル制御部１７、本体接続部３４、本体操作部１８及びメイン表示部３１を備えて構成されており、パネル制御部１７は前面パネル３０を単独の表示パネルとして機能するよう制御する。
【００５１】
本体２０はパネル着脱検出部１５がパネル接続部１６に前面パネル３０の本体接続部３４が接続されたか否かを検出し、制御部１１はパネル着脱検出部１５からの検出信号を受けて補助表示部２４のＯＮ／ＯＦＦを制御する。すなわち前面パネル３０との接続を検出すると補助表示部２４がＯＦＦされ、接続が解除されると補助表示部２４がＯＮされる。
【００５２】
前面パネル３０を本体２０と着脱可能に設けた従来のナビゲーション装置においては、前面パネル３０を取り外した後に、例えばＵＳＢスロット２３を介して外部記憶装置からのデータ転送を行なう場合などには、メイン表示部３１が本体とは接続されていないためその進捗状況を把握することができなかった。またディスクドライブ２１にディスクメディアを挿入してもトラック情報が表示されないため操作が極めて困難である。
【００５３】
この点本実施例２においては本体２０の前面に補助表示部２４を備え、補助表示部２４がデータ転送の進捗状況やエラー情報を表示するようになされるため、前面パネル３０を取り外した後データ転送を行なう場合にもその進捗状況やエラー情報を把握することができ、ユーザはデータ管理に必要十分な操作を行なうことができる。また例えばＣＤをディスクドライブ２１に挿入し、補助表示部２４の表示に従いトラックの選択・決定することが可能となれば、前面パネル３０の取り外し後においても最低限の車載用オーディオ機器として機能させることができるようになる。
【００５４】
さらに本発明によればナビゲーション装置１０は本体に音楽データ記憶部１２２を備えており、補助表示部２４を介して音楽データ及びその操作情報を表示することが可能となり、車載用オーディオ機器としての機能がさらに高まることが期待される。
【００５５】
なお前面パネル３０にデジタルテレビチューナを備えることで、前面パネル３０を取り外して携帯テレビとして用いるなどといったことも可能である。このようになせば、普段は車載用ナビゲーション装置として用いつつ前面パネルは取り外すことで携帯テレビとして、本体は車載用オーディオとして用いるなど用途に合わせて使い分けることができる。
【実施例３】
【００５６】
上記実施例２においては前面パネルをナビゲーション装置と着脱可能に取り付けた構成とした。この構成によれば、図５からも明らかなように地図記憶部１２１及び現在位置検出部１４は本体２０に備えられており、前面パネル３０は表示部として機能するのみであった。実施例３においては、本体２０でなく前面パネル３０側に地図記憶部１２１及び現在位置検出部１４を設けることで、前面パネル３０を独立のナビゲーション装置として機能するように構成している。以下、実施例３において、実施例２と同様の構成については同一の参照符号を付し、重複を避けるためその詳細な説明は省略する。
【００５７】
図６は実施例３にかかるナビゲーション装置の外観を示す分解斜視図であり、図６（ａ）はナビゲーション装置本体、図６（ｂ）は前面パネルを示している。ナビゲーション装置１０は本体２０と前面パネル３０とから構成されている点は実施例１、実施例２と同様であるが、図からも明らかなとおり前面パネル３０は本体２０から取り外せるようになされており、全面パネル３０に後述するように地図記憶部及び現在位置検出部を備えている点が異なっている。
【００５８】
図７は実施例３におけるナビゲーション装置１０の制御部分の構成を示すブロック図である。実施例２と同様にナビゲーション装置１０は本体２０とナビ部３０とでその制御構成が分かれ、本体２０に備えられたナビ部接続部１６がナビ部３０に備えられた本体接続部１８と接続されている。実施例２と異なる点はナビ部３０に地図記憶部１２１、現在位置検出部１４が備えられている点である。
【００５９】
ナビ部３０が地図記憶部１２１及び現在位置検出部１４を備えていることにより、ナビ部３０は独立のナビゲーション端末装置として機能する。すなわちナビ部制御部１７は現在位置検出部１４が備えるＧＰＳ受信機により現在位置を検出し、地図記憶部１２１から地図データが読み出されてマップマッチング処理が行なわれ、メイン表示部３１に案内経路が表示される。本体２０に取り付けられてナビゲーション装置として用いられるときも処理は同様であり、ユーザがナビゲーション機能を選択すると経路案内に必要な処理はナビ部３０内で行なわれる。
【００６０】
実施例１、２と同様に本体２０は補助表示部２４を備えており、ＵＳＢスロット２３に接続された外部記憶装置からのデータ転送の進捗状況やエラー情報、ディスクドライブ２１に挿入されたディスクメディアのトラック情報などが表示される。本体２０が補助表示部２４を備えることで本体２０は単体で車載用オーディオ機器として機能させることができる。
【００６１】
なお地図記憶部１２１はナビ部３０に備えられているため、地図データの更新をする際にはデータが一時的に本体２０に備えられたＲＯＭに記憶される。ナビ部３０が本体２０に接続されるとメイン表示部３１に「地図データ更新」が表示され、操作ボタン又はメイン表示部３１に表示されたソフトキーを押下することでナビ部接続部を介してデータが地図記憶部１２１に送信されてデータの更新が行なわれる。
【００６２】
このようにメイン表示部３１を有する前面パネル側が単体でナビゲーション装置として機能するとともに本体２０が補助表示部２４を備えることで、ナビ部３０はポータブル・ナビゲーション装置として、本体２０は操作・表示手段を備えた車載用ナビゲーション装置として使い分けることができる。
【００６３】
従って、普段はナビ部３０を本体２０に取り付けた状態で車載用ナビゲーション装置として経路案内を受け、必要に応じてナビ部３０を本体２０から取り外してポータブル・ナビゲーション装置として用いつつ、本体２０は補助表示部２４の表示にしたがってＣＤを再生したり音楽データ記憶部１２２から音楽データを読み出して音楽を聴いたりというように車載用オーディオ機器として用いることができる。
【００６４】
以上、詳細に説明したように本発明によれば、ナビゲーション装置は本体前面にディスクメディアの操作情報又は情報の読み取り又は書き込みの進捗状況を表示する補助表示部を備えている。したがって前面パネルが開動或いは取り外されてもデータ更新状況の把握が可能となる。
【図面の簡単な説明】
【００６５】
【図１】本発明の実施例１におけるナビゲーション装置の外観を示す斜視図であり、図１（ａ）は前面パネルがクローズ状態、図１（ｂ）は前面パネルがオープン状態を示す図である。
【図２】本発明の実施例１におけるナビゲーション装置の制御部分の構成を示すブロック図である。
【図３】本発明の実施例１におけるナビゲーション装置の制御手順を示すフローチャートである。
【図４】本発明の実施例２におけるナビゲーション装置の外観を示す分解斜視図であり、図４（ａ）はナビゲーション装置本体、図４（ｂ）は前面パネルを示す図である。
【図５】本発明の実施例２におけるナビゲーション装置の制御部分の構成を示すブロック図である。
【図６】本発明の実施例３におけるナビゲーション装置の外観を示す分解斜視図であり、図６（ａ）はナビゲーション装置本体、図６（ｂ）は前面パネルを示す図である。
【図７】本発明の実施例３におけるナビゲーション装置の制御部分の構成を示すブロック図である。
【符号の説明】
【００６６】
１０      ナビゲーション装置（車載用電子装置）
１１      制御部
１２      記憶部
１２１    地図記憶部
１２２    音楽データ記憶部
１３      操作部
１４      現在位置検出部
１５      パネル開閉検出部（パネル着脱検出部、ナビ部着脱検出部）
１６      パネル接続部（ナビ部接続部）
１７      パネル制御部（ナビ部制御部）
１８      本体接続部
１９      操作部
２０      本体
２１      ディスクドライブ
２２      外部メモリ接続部（ＳＤカードスロット）
２３      外部機器接続部（ＵＳＢスロット）
２４      補助表示部
３０      前面パネル
３１      メイン表示部
３２      操作ボタン
３３      パネル開閉ボタン
【図１】
2008209200.tif 000003
【図２】
2008209200.tif 000004
【図３】
2008209200.tif 000005
【図４】
2008209200.tif 000006
【図５】
2008209200.tif 000007
【図６】
2008209200.tif 000008
【図７】
2008209200.tif 000009